(57)【要約】【課題】フェレットの習性を利用でき様々な態様で使用できるフェレット用シーツを提供すること。【解決手段】フリース地からなる正方形形状のシーツ本体２の対向する辺縁３，４，８，９に所定の間隔でリボン５を取り付け、このリボン５にＤ環７を取り付ける。シーツ本体２の中央位置にはリボン１０を配置する。このような構成とすれば、２つ折りとして飼育ケージ内に吊り下げたり４つ折りとして通常のハンモックのように使用したり、リボン１０を上部位置で掛止することによって襞を作るように吊り下げたりと種々の使用態様を取ることが可能となる。【選択図】      図１
0003121895.tif 000002
【実用新案登録請求の範囲】
【請求項１】
シーツ本体の所定の周縁位置に複数の吊り下げ用リング部を直列に配置した第１のリング群を形成するとともに、同第１のリング群とは離間した同シーツ本体の周縁位置に所前記第１のリング群の複数の吊り下げ用リング部に対応する複数の取り付けリング部を直列に配置した第２のリング群を形成し、前記シーツ本体の中央又は中央近傍に吊り下げ用リング部を配置するようにしたことを特徴とするフェレット用シーツ。
【請求項２】
前記シーツ本体は方形をなし、前記第１及び第２のリング群は対向する辺縁に形成されていることを特徴とするフェレット用シーツ。
【請求項３】
前記第１及び第２のリング群を構成する吊り下げ用リング部は前記シーツ本体から外方に張り出した布辺と、同布辺に連結されたリング体から構成されていることを特徴とする請求項１又は２に記載のフェレット用シーツ。
【請求項４】
前記シーツ本体はフェルト材から構成されていることを特徴とする請求項１〜３のいずれかに記載のフェレット用シーツ。
【考案の詳細な説明】
【技術分野】
【０００１】
本考案は愛玩動物であるフェレットの飼育ケージ内に吊り下げされるフェレット用シーツに関するものである。
【背景技術】
【０００２】
近年室内で飼育する新たな愛玩動物としてフェレットが飼われ始めている。フェレットは飼育ケージ内で育てられる。このようなフェレット用の飼育ケージの一例として特許文献１を示す。
【特許文献１】実用新案登録第３０５９４２０号公報
【考案の開示】
【考案が解決しようとする課題】
【０００３】
特許文献１に示すようにフェレット用の飼育ケージ内にはハンモックを配設することが多い。これはフェレットの習性としてハンモック上で寝ころぶことを好むためである。その他、飼育ケージ内に配設されるフェレットの好む備品としては空中に吊すハンギングベッドや寝袋等がある。しかし、いずれも使用方法としては単に所定位置に配置してフェレットの習性を利用してそこに収容（横臥）するというものであってフェレット愛好家にとってはおもしろさに欠け備品として不十分なものであった。そのためフェレットの習性を利用して様々な態様で使用できる便利な備品が求められていた。
本考案は、このような従来の技術に存在する問題点に着目してなされたものである。その主目的とするところは、フェレットの習性を利用でき様々な態様で使用できるフェレット用シーツを提供することにある。
【課題を解決するための手段】
【０００４】
上記の目的を達成するための第１の手段として、シーツ本体の所定の周縁位置に複数の吊り下げ用リング部を直列に配置した第１のリング群を形成するとともに、同第１のリング群とは離間した同シーツ本体の周縁位置に所前記第１のリング群の複数の吊り下げ用リング部に対応する複数の取り付けリング部を直列に配置した第２のリング群を形成し、前記シーツ本体の中央又は中央近傍に吊り下げ用リング部を配置するようにしたことをその要旨とする。
第２の手段では第１の手段に加え、前記シーツ本体は方形をなし、前記第１及び第２のリング群は対向する辺縁に形成されていることをその要旨とする。
第３の手段では第１又は第２の手段に加え、前記第１及び第２のリング群を構成する吊り下げ用リング部は前記シーツ本体から外方に張り出した布辺と、同布辺に連結されたリング体から構成されていることをその要旨とする。
第４の手段では第１〜第３のいずれかの手段に加え、前記シーツ本体はフェルト材から構成されていることをその要旨とする。
【０００５】
このような構成では、フェレット用の飼育ケージ内においてシーツ本体の第１のリング群と第２のリング群を重ね合わせて対応する取り付けリング部同士を飼育ケージに掛止させることとによってシーツ本体は筒状の外観とすることが可能である。フェレットはその習性上このような狭い薄暗い部分を好むため、このような使用によってこの筒状内部に侵入させるよう促すこととなる。
また、第１又は第２のリング群のいずれか一方の取り付けリング部のみを飼育ケージに掛止させるように使用することによってシーツ本体は垂れ下げ飼育ケージの床面に這わせるように使用することが可能である。このように使用すればやはりフェレットのシーツ本体の床面に這った裏側への侵入を促すこととなる。
更に、シーツ本体の中央又は中央近傍に吊り下げ用リング部を飼育ケージ上部に掛止させ飼育ケージ上部から垂れ下げて使用することでフェレットを垂れ下がった襞の内側に侵入させるように促すことも可能である。
また、シーツ本体を４つに折り畳んで従来のハンモックのように使用することも可能である。この際にはシーツ本体の中央又は中央近傍に吊り下げ用リング部はシーツ本体を折り畳んだ角部外位置に配置されるようにする。
【０００６】
このようなシーツ本体は方形をなし、前記第１及び第２のリング群は対向する辺縁に形成されていることが４つに折り畳んでハンモックとして使用するためには好ましい。方形は正方形及び長方形を含み飼育ケージの形状によって適宜変更可能である。
第１及び第２のリング群を構成する吊り下げ用リング部はシーツ本体から外方に張り出した布辺と、同布辺に連結されたリング体から構成されていることが好ましい。シーツ本体にリング部を直接形成するとハンモックとして使用するために折り畳んだ際にリング部が隠れてしまい吊り下げにくくなってしまうからである。シーツ本体の材質は可撓性があるものであればば特に限定はされないがフェルト材であることが好ましい。フェルト材は合成繊維のフリース地も含む概念である。
【考案の効果】
【０００７】
上記各請求項の考案では、第１及び第２のリング群とシーツ本体の中央又は中央近傍の吊り下げ用リング部を活用して様々な態様で使用することができるため、飼育ケージ内に配設する備品としてフェレットの習性を最大限に活用したフェレット用シーツを提供することができる。
【考案を実施するための最良の形態】
【０００８】
以下、本考案におけるフェレット用シーツを具体化した一実施の形態を図面に基づいて説明する。
図１に示すように、フェレット用シーツ１のシーツ本体２は厚みのあるフリース生地を縫製して構成された正方形形状をなし、図１において左右方向の辺縁３，４には等間隔でそれぞれ５つの布辺としての布製のリボン５が縫いつけられている。各リボン５の先端には合金製ワイヤをＤ字形状のリング状に形成したＤ環７が取り付けられている。左右辺縁３，４のこれらＤ環７の列が第１及び第２のリング群に相当する。また、同図において上下方向の辺縁８，９にも等間隔でそれぞれ３つのリボン５が縫いつけられており、各リボン５の先端にもＤ環７が取り付けられている。上下辺縁８，９のこれらＤ環７の列が第１及び第２のリング群に相当する。シーツ本体２の中央位置には布製のリング状のリボン１０が縫いつけられている。
【０００９】
次にこのような構成のフェレット用シーツ１の使用方法について説明する。
フェレット用シーツ１はＤ環７とリボン１０の使い方で様々な使用形態として飼育ケージ１５内に配設することができる。
まず、第１の使用態様としてフェレット用シーツ１のシーツ本体２を２つに折り曲げ左右の辺縁３，４を合わせる。そして、それぞれの辺縁３，４に形成された対応するＤ環７を図２に示すように重ねて１つのカラビナ１６によって飼育ケージ１５のフレーム１７に掛止する。このようにすべての対応するＤ環７を重ねてカラビナ１６によって掛止していく。本実施の形態では図３に示すように、飼育ケージ１５の壁面１８に隣接した位置に天井１９からつり下げるようにしている。このように取り付けることでフェレット用シーツ１には床面２０に接地したトンネル部２１が形成される。フェレットＦはその習性からこのトンネル部２１に潜り込むことを好むようになる。また、トンネル部２１はフェレットＦにとって実際の巣穴に近い感覚（暗く狭い）となるため、フェレットＦの巣をきれいにする習性からトンネル部２１内部やその周辺で排泄行為をしなくなる。
第２の使用態様として図４のようにシーツ本体２の辺縁３，４を飼育ケージ１５の天井１９の両サイド寄りに取り付け、中央寄りを放物線状にたるませることで大型のハンモックとして使用することができる。この際もカラビナ１６によって飼育ケージ１５の天井１９のフレーム１７にＤ環７を掛止して取り付けるようにする。
第３の使用態様として図５のようにシーツ本体２の中央位置のリボン１０をカラビナ１６によって飼育ケージ１５の天井１９のフレーム１７に掛止し、吊り下げることができる。これによってフェレットＦは吊り下げによってできる襞２２の中に潜り込むことができる。また、飼い主がこのリボン１０を持ってこの図５のように吊り下げて遊ばせることも可能である。
第４の使用態様として図６のようにシーツ本体２をリボン１０を外側になるように４つ折りにし、従来のハンモックのように図示しない吊り紐によって飼育ケージ１５内に張ることができる。この際にリボン５に取り付けられたＤ環７がシーツ本体２から完全に外方に突出しているため吊り紐の取着作業が容易となる。
【００１０】
その他、本発明は以下のような態様で変更して実施することも可能である。
・吊り下げ用リング部としてはリボン５に取り付けられたＤ環７ではなく鳩目をシーツ本体２に形成するようにしてもよい。
・吊り下げ用リング部（リボン５に取り付けられたＤ環７）の数は上記実施の形態に限定されない。
・シーツ本体２の中央位置のリボン１０の変わりにＤ環のようなリング体を取り付けるようにしてもよい。
その他、本考案の趣旨を逸脱しない範囲で変更して実施することは自由である。
【図面の簡単な説明】
【００１１】
【図１】本考案の実施の形態のフェレット用シーツの平面図。
【図２】同じフェレット用シーツの掛止方法を説明する説明図。
【図３】フェレット用シーツの使用態様の一例を説明する説明図。
【図４】フェレット用シーツの使用態様の他の一例を説明する説明図。
【図５】フェレット用シーツの使用態様の他の一例を説明する説明図。
【図６】フェレット用シーツの使用態様の他の一例を説明する説明図。
【符号の説明】
【００１２】
１…フェレット用シーツ、２…シーツ本体、５…吊り下げ用リング部の一部をなすリボン、７…吊り下げ用リング部の一部をなすＤ環、３，４，８，９…辺縁、１０…吊り下げ用リング部としてのリボン。
【図１】
0003121895.tif 000003
【図２】
0003121895.tif 000004
【図３】
0003121895.tif 000005
【図４】
0003121895.tif 000006
【図５】
0003121895.tif 000007
【図６】
0003121895.tif 000008
【手続補正書】
【提出日】平成18年3月24日(2006.3.24)
【手続補正１】
【補正対象書類名】実用新案登録請求の範囲
【補正対象項目名】全文
【補正方法】変更
【補正の内容】
【実用新案登録請求の範囲】
【請求項１】
シーツ本体の所定の周縁位置に複数の吊り下げ用リング部を直列に配置した第１のリング群を形成するとともに、同第１のリング群とは離間した同シーツ本体の周縁位置に所前記第１のリング群の複数の吊り下げ用リング部に対応する複数の取り付けリング部を直列に配置した第２のリング群を形成し、前記シーツ本体の中央又は中央近傍に吊り下げ用リング部を配置するようにしたことを特徴とするフェレット用シーツ。
【請求項２】
前記シーツ本体は方形をなし、前記第１及び第２のリング群は対向する辺縁に形成されていることを特徴とする請求項１に記載のフェレット用シーツ。
【請求項３】
前記第１及び第２のリング群を構成する吊り下げ用リング部は前記シーツ本体から外方に張り出した布辺と、同布辺に連結されたリング体から構成されていることを特徴とする請求項１又は２に記載のフェレット用シーツ。
【請求項４】
前記シーツ本体はフェルト材から構成されていることを特徴とする請求項１〜３のいずれかに記載のフェレット用シーツ。